(57)【特許請求の範囲】
【請求項１】
撮像素子から順次出力される画像を所定のフレームレートで連続的に表示手段に表示するライブビュー表示モードを有する撮像装置であって、
前記ライブビュー表示モード時の画像であるライブビュー画像は、前記表示手段に設けられた画像表示領域に表示され、
撮影時の撮影条件および前記ライブビュー画像の少なくとも一方に関する撮影情報は、前記表示領域に設けられた情報表示領域に表示され、
前記ライブビュー画像の一部を拡大表示する際に、前記表示手段の表示領域全体に対する前記情報表示領域の割合を、前記拡大表示する際の拡大倍率の増大に従って、減少させる制御手段を有することを特徴とする撮像装置。
【請求項２】
前記情報表示領域は、前記画像表示領域とは独立しており、
前記制御手段は、前記拡大表示を行うときには、前記情報表示領域の縮小表示または非表示とすることを特徴とする請求項１に記載の撮像装置。
【請求項３】
前記制御手段は、前記情報表示領域を縮小表示する際には、前記拡大表示する際の拡大倍率の増大に従って、前記情報表示領域を縮小させることを特徴とする請求項２に記載の撮像装置。
【請求項４】
前記制御手段は、前記拡大表示の際の拡大倍率が所定倍率以上であれば、前記情報表示領域を非表示とすると共に、前記表示手段の表示領域全体を前記画像表示領域にすることを特徴とする請求項２又は３に記載の撮像装置。
【請求項５】
前記ライブビュー表示モードとしての第１モードと第２モードとを備え、
前記ライブビュー表示モード時には、前記表示手段上に、前記何れのモードが選択されているかを識別するための識別マークが表示され、
前記制御手段は、前記拡大表示を行う際には、前記識別マークを消灯することを特徴とする請求項１〜４の何れか一項に記載の撮像装置。
【発明の詳細な説明】
【技術分野】
【０００１】
本発明は、電子カメラ等の撮像装置に関し、特に、液晶パネル等の表示手段に被写体像をリアルタイム表示する機能を備える撮像装置に関する。
【背景技術】
【０００２】
撮像素子から順次出力される画像を所定のフレームレートで連続的にカメラ背面に設けられた液晶パネルにリアルタイム表示する機能（ライブビュー表示モード）を備える電子カメラにおいては、液晶パネルに表示中の画像（ライブビュー画像）の一部を拡大して表示する拡大表示機能を備えたものが知られている（例えば、下記特許文献１参照）。所定のボタン操作を行うことによって、液晶パネルに表示中のライブビュー画像を、例えば、２倍、４倍等に拡大して表示することができる。
【０００３】
ところで、液晶パネルには、撮影条件等の情報（撮影情報）が表示中のライブビュー画像に重畳して、あるいは別枠で表示される場合があるが、従来は、これらの撮影情報は、通常表示中も拡大表示中も同様に表示されていた。拡大表示は、例えば、ピントを合わせる位置の詳細を確認するために行われるが、これらの撮影情報が表示されたままであると、画像を詳細に確認する妨げとなる場合があった。
【０００４】
ここで、ライブビュー画像の拡大表示に関するものではないが、撮影済みの画像（情報記録媒体に記録された画像）を液晶パネルに再生表示中に、画像の確認の妨げとならないように、当該画像の撮影時の撮影条件等の撮影情報を重畳表示させるか否かを撮影情報の項目毎に選択し、あるいは撮影情報の表示位置や大きさを変更できるようにしたものが知られている（下記特許文献２参照）。
【０００５】
しかし、この従来技術は、撮影済みの画像の再生表示に関するものであるため、撮影情報の表示の有無の項目毎の選択操作、その表示位置や大きさについての変更操作をその都度行っても、それ程問題とはならないと考えられるが、ライブビュー画像の拡大表示が用いられるのは、通常は被写体を選定し、ピント合わせ等の撮影のための準備をしている段階であることが多く、そのような煩雑な操作を行わなければならないとすると、いわゆるシャッタチャンスを逃し、あるいは十分な確認を行わないまま撮影をしなければならない場合があるという問題があった。
【０００６】
本発明は、このような点に鑑みてなされたものであり、その目的とするところは、ライブビュー画像の一部を拡大表示する際に、該拡大表示した画像の確認を容易に行い得るようにすることである。
【特許文献１】特開２００５−３９５７号公報
【特許文献２】特開２００６−１８９８９５号公報
【発明の開示】
【課題を解決するための手段】
【０００７】
この項の説明では、後述する実施形態を表す図面に示す部材等を示す符号を括弧を付して付記するが、これは単に理解の容易化のためであり、本発明の各構成要件は、これら部材等を示す符号を付した図面に示す部材等に限定されるものではない。
【０００８】
本発明によると、撮像素子（１０）から順次出力される画像を所定のフレームレートで連続的に表示手段（１７）に表示するライブビュー表示モードを有する撮像装置（ＣＭ）であって、撮影時の撮影条件および前記ライブビュー画像の少なくとも一方に関する撮影情報は、前記表示領域に設けられた情報表示領域に表示され、前記ライブビュー表示モード時の画像であるライブビュー画像は、前記表示手段に設けられた画像表示領域に表示され、前記ライブビュー画像の一部を拡大表示する際に、前記表示手段の表示領域全体（５１）に対する前記情報表示領域の割合を、前記拡大表示する際の拡大倍率の増大に従って減少させる制御手段（４１）を有する撮像装置が提供される。
【発明の効果】
【０００９】
本発明では、ライブビュー画像の一部を拡大表示する際に、表示手段の表示領域全体に対する情報表示領域の割合を、前記拡大表示する際の拡大倍率の増大に従って減少させるようにしたので、拡大表示した画像の確認をより広い表示画面を使って容易に行うことができるようになるという効果がある。
【発明を実施するための最良の形態】
【００１０】
以下、本発明の実施形態について、図面を参照して詳細に説明する。
【００１１】
〔カメラの概略構成〕
図１は本発明の実施形態に係る電子カメラの概略構成を模式的に示す縦断面図である。このカメラは、一眼レフ方式の電子カメラである。但し、本発明が適用可能なカメラとしては、一眼レフ方式の電子カメラに限定されず、コンパクトデジタルカメラやその他の電子カメラであってもよい。また、本発明は、一般的にカメラと称呼される装置にも限定されず、撮像（撮影）機能を備える電子装置等にも適用可能である。
【００１２】
図１において、カメラＣＭは、カメラ本体（カメラボディ）ＣＢ及びカメラ本体ＣＢに交換可能に装着される撮影レンズＣＬを備えて構成されている。カメラ本体ＣＢの上部には、ファインダＦＤが配置されている。カメラ本体ＣＢの内部には、撮像面に結像される被写体の像を画像信号に変換して出力するＣＣＤあるいはＣＭＯＳ等からなる撮像素子１０が設けられている。撮像素子１０の受光側には、遮光部材を機械的に駆動して露光時間を調節するための周知のメカニカルシャッタ１３が設けられている。
【００１３】
ファインダＦＤは、フォーカシングスクリーン（焦点板）２０、ペンタ（ダハ）プリズム２１、周知の測光素子２２、測光光学系２３、接眼レンズ系２４，２５、及び接眼窓２６等を備えて構成されている。カメラ本体ＣＢの背面には、ＴＦＴ（Ｔｈｉｎ  Ｆｉｌｍ  Ｔｒａｎｓｉｓｔｏｒ）方式等の液晶パネルからなる画像表示手段としての画像表示モニタ（背面液晶モニタ）１７が設けられている。カメラ本体ＣＢ内において、撮像素子１０の前面側（メカニカルシャッタ１３よりも更に前面側）には、周知のクイックリターンミラー１４が回動可能に軸支されている。クイックリターンミラー１４の裏面側（下側）には、周知のサブミラー１５が設けられている。クイックリターンミラー１４のハーフミラー部を透過した一部の光は、サブミラー１５で反射されて、周知の位相差検出方式のＡＦ検出装置１６に入射されるようになっている。
【００１４】
撮影レンズＣＬは、被写体の像を撮像素子１０の撮像面上に結像させるための撮影光学系である。撮影レンズＣＬの鏡筒内には、メインレンズ３０、焦点調整用のフォーカスレンズ３１、不図示の焦点距離調節用のズームレンズ等を含むレンズ系及び撮像素子１０へ入射させる光の量を調節するための不図示の可変開口絞り等が設けられている。フォーカスレンズ３１は、駆動部３２により、撮影レンズＣＬの光軸ＡＸに沿う方向に位置決め移動されるようになっている。
【００１５】
〔制御系の構成〕
図２は本実施形態に係る電子カメラの制御系の概略構成を示すブロック図である。同図において、４１はマイクロコンピュータ等によって構成される制御装置（制御手段）である。制御装置４１は、不図示のメモリから制御プログラムを読み込み、実行することにより、このカメラＣＭの各部を統括的に制御すると共に、後述するライブビュー表示モードや該モードにおける拡大表示機能等を実現する。
【００１６】
撮像素子１０は、撮影レンズＣＬを透過した被写体光を受光して画像信号（蓄積電荷としてのアナログ信号）を出力する。撮像素子１０からの画像信号は、Ａ／Ｄ変換回路４３に供給され、ゲイン調整などの処理が行われた後に、デジタル信号に変換され、画像処理回路４４に送られる。タイミング回路４２は、撮像素子１０を駆動するタイミング信号等を出力する。
【００１７】
画像処理回路（画像処理エンジン）４４は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等で構成され、Ａ／Ｄ変換回路４４から出力されるデジタル信号の原画像データ（ＲＡＷ画像データ）をバッファメモリ４６へ出力する。また、デジタル信号である原画像データに対して、ホワイトバランス調整、シャープネス調整、ガンマ補正、階調調整等の画像処理を行う。また、画像処理回路４４は、必要に応じて所定の圧縮形式（ＪＰＥＧ、ＴＩＦＦ形式等）で圧縮する圧縮処理（現像処理）等も行う。原画像データ又は圧縮処理後の画像情報は、撮影日時、露出、シャッタ秒時、サムネイル、その他の撮影に関する情報と共に、Ｅｘｉｆ（Ｅｘｃｈａｎｇｅａｂｌｅ  ｉｍａｇｅ  ｆｉｌｅ  ｆｏｒｍａｔ）等の所定の形式で、情報記録媒体４７に記録される。
【００１８】
バッファメモリ４６は、原画像データや圧縮処理後の圧縮画像データを一時的に格納するためのメモリであり、ＳＲＡＭ、ＶＲＡＭ、ＳＤＲＡＭ等を用いることができる。情報記録媒体４７は、この電子カメラＣＭに設けられたカードスロット（不図示）に着脱可能に装着される可搬性を有する記録媒体であり、例えば、ＣＦカード、ＳＤカード、スマートメディア等が用いられる。
【００１９】
表示駆動回路４５は、制御装置４１による制御の下、画像表示モニタ１７を駆動する回路である。画像表示モニタ１７には、再生画像（情報記録媒体４７に記録された画像）又は撮像素子１０からのリアルタイム画像であるライブビュー画像（スルー画像）を表示することができる。また、この画像表示モニタ１７には、撮影情報やメニュー等の操作に関する情報等を表示することもできる。
【００２０】
ここで、撮影情報としては、本撮影（画像を情報記録媒体４７に記録するための撮影）を行う際の撮影条件（シャッタ速度や絞り値等の撮影時の条件、及び、画像サイズ、圧縮形式、各種モード等の記録時の条件を含む）、並びにライブビュー画像の撮影条件（ライブビュー撮影の際の絞り値やＩＳＯ感度、場合によってはフレームレート）等が含まれる。
【００２１】
制御装置４１は、撮影時には、測光素子２２やＡＦ検出装置１６等からの検出信号等に基づいて、シャッタ１３やクイックリターンミラー１４等の動作を制御する。
【００２２】
操作部４９は、カメラ本体ＣＢの上部や背面に設けられた、撮影者が指示内容を手動入力するための各種のスイッチ、ボタン、ダイヤル、キー等から構成されている。具体的には、電源をオン／オフする電源ダイヤル、撮影等を指示するためのレリーズボタン、各種モードを選択設定するためのモードダイヤル、各種のコマンドを選択するためのコマンドダイヤル、画像表示モニタ１７にメニュー（選択項目）等を表示させるためのメニューボタン、項目等の選択やカーソルを移動させる等のための十字キー、決定ボタン（ＯＫボタン）等が設けられている。また、コントラストＡＦの実行を指示するためのＡＦスタートボタン、画像表示モニタ１７に表示中の画像（ライブビュー画像や再生画像等）の一部の拡大表示を指示するための拡大表示ボタン等も設けられている。
【００２３】
操作部４９のモードダイヤルが操作されることによって、静止画像撮影モードに設定されると、クイックリターンミラー１４は、ミラーダウン位置に設定される。これにより、撮影者はファインダＦＤの観察窓２６を介して、撮影レンズＣＬからの被写体の像を目視できるようになっている。静止画の撮影操作（レリーズボタンが全押しされる操作）がなされると、クイックリターンミラ１４がミラーアップ位置に切り換えられ、切り換え完了後にメカニカルシャッタ１３が作動された後、クイックリターンミラー１４はミラーダウン位置に速やかに戻される。これにより、１枚の画像が撮像され、情報記録媒体４７に記録される。
【００２４】
操作部４９のモードダイヤルが操作されることによって、画像表示モニタ１７にリアルタイム画像を表示するライブビュー表示モードに設定されると、クイックリターンミラー１４は、ミラーアップ位置に切り換えられ、その状態を継続的に維持する。ライブビュー表示モードでは、撮影レンズＣＬを介して撮像素子１０に結像された画像は、所定のフレームレートで画像表示モニタ１７にリアルタイム表示される。
【００２５】
このライブビュー表示モードでは、撮影者は画像表示モニタ１７に表示された画像を見ながら、所望の撮影を行うことができる。なお、ライブビュー表示モードにおいて、画像表示モニタ１７上に表示される画像は、スルー画像である。スルー画像とは、撮像素子１０で所定のフレームレート（サンプリング間隔）で撮像される画像（このサンプリング間隔は、人目には連続的に映る間隔）であって、画像表示モニタ１７上で表示されるために使用される画像である。
【００２６】
この実施形態の電子カメラＣＭでは、ライブビュー表示モードの下位に位置付けられるモードとして、手持ちモード（第１モード）と、スタジオモード（第２モード）とを備えている。スタジオモードは、ライブビュー表示モードにおいて、撮影スタジオ等でカメラが三脚等に固定されて撮影される状況や、あるいは家庭や屋外でカメラをテーブルや台等の上に載置して撮影される状況を想定したモードであり、カメラはこのような撮影状況に最適な内部設定にカメラ内の状態を設定する。
【００２７】
具体的には、スタジオモードでは、クイックリターンミラー１４がミラーアップ位置にあり、スルー画像を画像表示モニタ１７に表示中（ライブビュー中）に、ＡＦスタートボタンをオン操作することにより、コントラスト方式のオートフォーカスを行うことができるようになっている。より正確なピント合わせが要求される静止被写体を撮影する際に、撮影前のライブビュー画像を確認しながら、より正確なピント状態に設定することができるようにするためである。なお、このスタジオモードでは、使用者のマニュアル操作によるマニュアルフォーカスを行うことも可能である。
【００２８】
ここで、コントラスト方式のオートフォーカスとは、フォーカスレンズ３１を、所定間隔（ピッチ）でステップ移動させつつ、撮影した各画像に基づいて焦点評価値（例えば、撮像素子１０から得られるＡＦ検出エリアに係る領域の画像信号の高周波成分の積算値等）を算出し、これらの焦点評価値を相対評価して、該焦点評価値が最大となるレンズ位置を合焦位置（ピントが合う位置）として、該フォーカスレンズ３１の位置を調整するものである。
【００２９】
手持ちモードは、ライブビュー表示モードにおいて、カメラを手に持って、画像表示モニタ１７に表示される画像を見ながらフレーミングすることに重点をおいて撮影することを想定したモードであり、このモードでは、例えＡＦスタートボタンがオン操作されてもオートフォーカス（コントラストＡＦ）を実施することはできないようになっている。なお、位相差検出方式のＡＦ動作については、スタジオモードのライブビュー画像の表示中（スルー画像表示中）のときには、行うことはできず、一方、手持ちモードのライブビュー中のときには、レリーズボタン又はＡＦスタートボタンの操作に応じてＡＦ動作を行うことができるようになっている。
【００３０】
〔ライブビュー画像の拡大表示機能〕
本実施形態の電子カメラＣＭは、ライブビュー画像の拡大表示機能を備えている。この機能は、ライブビュー表示モードにおいて、例えば、ピントを合わせたい部分の詳細を確認等するために、画像表示モニタ１７に表示されているライブビュー画像の一部を拡大して表示する機能である。この実施形態の電子カメラＣＭは、画像表示モニタ１７に表示される再生画像（情報記録媒体４７に記録された撮像済みの画像）の一部を拡大する機能をも備えているが、ライブビュー画像の拡大表示機能は、この再生画像の拡大表示機能とは別に設けられているものである。なお、以下の説明は、特に断らない限り、ライブビュー画像の拡大表示機能についての説明である。
【００３１】
図３は画像表示モニタ１７に表示されるライブビュー画像の通常表示の場合（非拡大時）の表示例を、図４は同じく拡大表示の場合（拡大時）の表示例を示している。図３において、５１は画像表示モニタ１７の表示領域の全体（全表示領域）を示しており、この全表示領域５１は、画像を表示する画像表示領域５２と、該画像表示領域５２とは独立した、撮影情報を表示するための情報表示領域５３とに分割して用いられている。例えば、全表示領域５１の縦横比が３：４である場合には、全表示領域５１の上部の２：３の部分が画像表示領域５２として用いられ、下部の残りの部分が情報表示領域５３として用いられる。情報表示領域５３は、同図では画像表示モニタ１７の全表示領域５１の下部に設けられているが、上部、左部、又は右部に設けられていてもよい。なお、同図では、画像表示領域５２に、一例として、被写体としての自動車５４が表示されている様子が示されている。
【００３２】
画像表示領域５２内には、矩形状のカーソル（ポインタ）５５が表示されている。このカーソル５５は、撮影者がこの拡大表示機能を用いて、画像表示領域５２に表示中のライブビュー画像の拡大表示すべき部分の中心を指定するためのものであり、操作部４９の十字キーを操作することによって、画像表示領域５２内で上下左右の任意の位置（又は予め決められた複数の位置のうちの一つ）に移動できるようになっている。なお、ここでは、カーソル５５は、画像表示領域５２内の何れの位置にも移動できるものとするが、画像表示領域５２内に予め設定された領域（例えば、ＡＦを行うことが可能な領域）内でのみ移動できるようにしてもよい。また、ここでは、カーソル５５は、拡大表示をするために専用に設けられているものとするが、コントラストＡＦを実施する場合のＡＦ検出エリアを指定するためのカーソルと兼用するようにしてもよい。カーソル５５の形状としては、矩形状でなくてもよく、例えば十字（マーク）であってもよい。
【００３３】
また、画像表示領域５２内の上部には、複数の撮影情報（マーク）５６〜５９がライブビュー画像に重畳して表示されている。撮影情報５６は画像サイズの設定を示しており、同図ではミドルサイズ（中）を示す「Ｍ」の文字を伴うマークとして表示されている。スモールサイズ（小）の場合には「Ｓ」の文字を、ラージサイズ（大）の場合には「Ｌ」の文字を伴うマークとして表示される。撮影情報５７は画質モードの設定を示しており、画像の圧縮形式及び圧縮度合いの設定を示している。同図では、圧縮形式として「ＪＰＥＧ」が、圧縮度合いとして、ファイルサイズが小さいことを示す「ＢＡＳＩＣ」の文字を伴うマークとして表示されている。圧縮形式としては、「ＪＰＥＧ」の他に、「ＴＩＦＦ」、「ＲＡＷ（非圧縮）」等があり、圧縮度合いとしては、ファイルサイズが大きいことを示す「ＦＩＮＥ」、中間のファイルサイズを示す「ＮＯＲＭＡＬ」等がある。
【００３４】
撮影情報５８はホワイトバランスの設定を示しており、同図では「日陰」を示す絵文字を伴うマークとして表示されている。この設定には、他に、「晴天」、「蛍光灯」、「白熱灯」等がある。撮影情報５９は上述したライブビュー表示モードにおけるスタジオモード（三脚モード）又は手持ちモードの何れのモードが選択されているかを識別するための識別マークであり、同図では「三脚モード」の文字を伴うマークとして表示されている。手持ちモードである場合には、「手持ちモード」の文字を伴うマークとして表示される。なお、これらの撮影情報５６〜５９は、一例であって、これらの内容以外のものであってもよい。その数や表示位置等もこれと異なっていてもよい。画像表示領域５２に重畳表示する撮影情報の項目、数、大きさ、表示位置等は、撮影者による設定操作によって、適宜に変更できるようになっていてもよい。
【００３５】
画像表示領域５２の下部の左側には、カメラのカードスロットに情報記録媒体４７が挿入されていないことを示すカードなしマーク６０、バッテリの残量が少ないことを示すバッテリ残量警告マーク６１が撮影情報５６〜５９と同様に重畳表示されている。なお、「終了：ＭＥＮＵ」の表示６２は、操作部４９のメニューボタンを押下すれば、ライブビュー画像の表示を終了してメニュー画面に戻ることができることを撮影者に教示するために表示されるマークである。
【００３６】
情報表示領域５３は、複数の撮影情報が表示される領域であり、この情報表示領域５３に表示される撮影情報は、ファインダＦＤ内に表示される撮影情報とほぼ同様な構成となっている。同図では、一例として、図中の左から順に、測光モード５３ａ、ＡＥロック５３ｂ、オートブラケティング５３ｃ、シャッタスピード５３ｄ、絞り値５３ｅ、露出補正５３ｆ、感度自動設定５３ｇ、ＩＳＯ感度５３ｈ、記録可能コマ数５３ｉ、１０００コマ以上補助表示５３ｊ、及びレディライト５３ｋが表示されている。
【００３７】
拡大表示用のカーソル５５を、十字キーの操作により、所望の位置に移動させて（例えば、図３に点線矢印で示すように移動させて）、操作部４９の拡大表示ボタンを押下することにより、図４に示されているような拡大表示とすることができる。この拡大表示は、ここでは、カーソル５５が設定されている位置を中心として、所定の拡大倍率に従って行われるようになっている。所定の拡大倍率は、固定倍率でもよいが、画像表示モニタ１７の画素数との関係で設定可能な範囲（例えば、１〜１２倍程度）で、撮影者による所定の設定操作によって事前に設定できるようにしてもよい。
【００３８】
また、拡大倍率は、このような事前の設定操作ではなく、ライブビュー画像の表示中に、簡易な操作で変更できるようにしてもよい。この場合には、画像表示モニタ１７の画素数との関係で設定可能な範囲（例えば、１〜１２倍程度）で、連続的に又は段階的に変更できるようにするとよい。段階的に変更できるようにする場合には、例えば、拡大表示ボタンを１回押す毎に、拡大倍率を順次段階的に大きいもの（又は小さいもの）に変更するようにできる。連続的に変更できるようにする場合には、例えば、拡大表示ボタンを押しながら、コマンドダイヤルを回動させることにより変更するようにできる。
【００３９】
本実施形態では、図４に示されているように、拡大表示中は、画像表示領域５２に重畳表示された撮影情報５６〜５９の表示を消去する（非表示とする）と共に、情報表示領域５３を消去して（非表示として）、画像表示領域５２及び情報表示領域５３の全体（即ち、全表示領域５１）を画像表示領域として用いるようにしている。即ち、制御装置４１は、ライブビュー画像の一部を拡大表示する際に、画像表示モニタ１７の表示領域全体に対する画像表示領域の割合を増大させている。拡大表示中に、詳細確認の妨げとなることがある撮影情報５６〜５９が消去されるため、画像を詳細且つ容易に確認することが可能になる。また、拡大表示中は、情報表示領域５３における撮影情報の表示を消去して、通常表示時よりも広い領域にライブビュー画像を表示するようにしているため、画像を詳細且つ容易に確認することが可能になる。
【００４０】
また、拡大表示中は、拡大位置を示す拡大位置情報６３を表示するようにしている。拡大位置情報６３は、外枠６３ａ及び内枠６３ｂを有し、外枠６３ａが図３の通常表示（等倍表示）における画像表示領域５２に対応し、内枠６３ｂが図４の拡大表示における全表示領域に対応している。この拡大位置情報を見ることにより、撮像素子１０によって撮像中の画像全体（図３の通常表示における画像表示領域５２に表示されている画像）の中の現在拡大表示している位置（領域）を、認識することができる。拡大表示中において、操作部４９により所定のスクロール操作を行うことにより、拡大表示中の画像を前後左右にスクロールすることができる。スクロールさせることによって、これに応じて拡大位置情報６３の内枠６３ｂの外枠６３ａ内における位置が移動する。
【００４１】
なお、ここでは、カードなしマーク６０及びバッテリ残量マーク６１は、拡大表示の場合にも、そのまま残すようにしているが、これらの一部又は全部をも消去する（非表示とする）ようにしてもよい。拡大表示する場合に、これらの一部又は全部を、より小さいマークとして表示する等、表示中のライブビュー画像の確認の妨げとならないように、表示形態を変更するようにしてもよい。
【００４２】
画像表示領域５２に重畳表示される撮影情報５６〜５９の消去は、その全部ではなく、一部を消去するようにしてもよい。この場合には、撮影情報５６〜５９毎に優先度を付与して、優先度の高いものは残し、優先度の低いものは消去するようにしてもよい。拡大倍率を段階的に又は連続的に変更可能である場合には、ライブビュー画像の表示割合を大きくするため、拡大倍率が大きくなるに従って、消去する撮影情報５６〜５９の数を増大させるようにしてもよい。この場合には、拡大倍率に関する単一又は複数のしきい値を設定して、拡大倍率が該しきい値を順次越えた場合に、撮影情報５６〜５９の消去する数を順次増大するようにできる。
【００４３】
さらに、拡大表示中は、画像表示領域５２に重畳表示される撮影情報５６〜５９を、より小さいマークとする（縮小する）等、表示中のライブビュー画像の確認の妨げとならないように、表示形態を変更して表示するようにしてもよい。この場合において、拡大倍率を段階的に又は連続的に変更可能である場合には、拡大倍率が大きくなるに応じて、例えばマークの大きさを縮小するようにしてもよい。
【００４４】
また、拡大倍率を段階的に又は連続的に変更可能である場合には、情報表示領域５３を、拡大表示の際の拡大倍率が所定倍率以上である場合に消去（非表示）とするようにしてもよい。具体的には、拡大倍率に関するしきい値を設定して、拡大倍率が該しきい値を越えた場合に、情報表示領域５３を非表示とする。さらに、情報表示領域５３の全部を非表示とするのではなく、例えば、情報表示領域５３の上下方向若しくは左右方向又はこれらの双方の寸法を小さくする等によって、情報表示領域５３を小さくして表示するようにしてもよい。この場合には、情報表示領域５３内の撮影情報は、全体として倍率を縮小するようにしてもよいし、その内部に包含される撮影情報の数を減少させるようにしてもよいし、これらの両者としてもよい。
【００４５】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【図面の簡単な説明】
【００４６】
【図１】本発明の実施形態の電子カメラの概略構成を示す図である。
【図２】本発明の実施形態の電子カメラの制御系の構成を示すブロック図である。
【図３】本発明の実施形態のライブビュー表示モードにおける通常表示中の表示内容の一例を示す図である。
【図４】本発明の実施形態のライブビュー表示モードにおける拡大表示中の表示内容の一例を示す図である。
【符号の説明】
【００４７】
ＣＭ…カメラ、ＣＢ…カメラ本体、ＣＬ…撮影レンズ、ＦＤ…ファインダ、１０…撮像素子、１７…画像表示モニタ、４１…制御装置、５１…全表示領域、５２…画像表示領域、５３…情報表示領域、５５…カーソル（ポインタ）、５６〜５９…撮影情報、６３…拡大位置情報。
【図１】
0004935559.tif 000002
【図２】
0004935559.tif 000003
【図３】
0004935559.tif 000004
【図４】
0004935559.tif 000005